(57)【要約】【課題】  電子マネー記憶媒体の識別子をポイント管理に使用する【解決手段】  商品情報を入力して顧客が買い上げる商品の金額と個数とから合計金額を取得する商品取得手段と、前記商品取得手段により取得した金額に応じたポイントを算出するポイント算出手段と、電子マネー記憶媒体から少なくとも電子マネーの識別子を読取る読取り手段と、電子マネーの識別子と顧客が所持するポイントを関連付けて記憶する記憶部から、前記読取り手段により読取られた識別子に対応するポイントを取得するポイント取得手段と、  前記ポイント取得手段により取得したポイントに前記ポイント算出手段により算出したポイントを加算し、前記記憶部の更新を行う更新手段と、を有することを特徴とする商品データ処理装置。【選択図】図４
2012048276.tif 000002
【特許請求の範囲】
【請求項１】
商品情報を入力して顧客が買い上げる商品の金額と個数とから合計金額を取得する商品取得手段と、
前記商品取得手段により取得した金額に応じたポイントを算出するポイント算出手段と、
電子マネー記憶媒体から少なくとも電子マネーの識別子を読取る読取り手段と、
電子マネーの識別子と顧客が所持するポイントを関連付けて記憶する記憶部から、前記読取り手段により読取られた識別子に対応するポイントを取得するポイント取得手段と、
前記ポイント取得手段により取得したポイントに前記ポイント算出手段により算出したポイントを加算し、前記記憶部の更新を行う更新手段と、
を有することを特徴とする商品データ処理装置。
【請求項２】
前記読取り手段は、電子マネー記憶媒体に記憶する金額も読取り、
前記読取り手段により読取った電子マネー記憶媒体の金額から、決済処理を行う決済手段と、
前記更新手段は前記決済手段による決済完了後に行うことを特徴とする請求項１に記載の商品データ処理装置。
【請求項３】
コンピュータに、
商品情報を入力して顧客が買い上げる商品の金額と個数とから顧客が買い上げる商品の合計金額を取得する商品取得機能と、
前記商品取得機能により取得した金額に応じたポイントを算出するポイント算出機能と、
電子マネー記憶媒体から少なくとも電子マネーの識別子を読取る読取り機能と、
電子マネーの識別子と顧客が所持するポイントを関連付けて記憶する記憶部から、前記読取り機能により読取られた識別子に対応するポイントを取得するポイント取得機能と、
前記ポイント取得機能により取得したポイントに前記ポイント算出機能により算出したポイントを加算し、前記記憶部の更新を行う更新機能と、
を実現させるための商品データ処理装置のプログラム。
【請求項４】
前記読取り機能は、電子マネー記憶媒体に記憶する金額も読取り、
前記読取り機能により読取った電子マネー記憶媒体の金額から、決済処理を行う決済機能と、
前記更新機能は前記決済機能による決済完了後に行うことを特徴とする請求項３に記載の商品データ処理装置のプログラム。
【発明の詳細な説明】
【技術分野】
【０００１】
本発明の実施形態はＰＯＳ端末などの商品データ処理装置に関する。
【背景技術】
【０００２】
例えばチェーン店やレンタルビデオ店、小売店などで特定のユーザーカードを用いることにより、ポイントを付与を行なう。
【先行技術文献】
【特許文献】
【０００３】
【特許文献１】特開２００２−７４５１５公報
【発明の概要】
【発明が解決しようとする課題】
【０００４】
しかし、店ごとにユーザーは複数のポイントカードを管理することになり、不便であった。
【課題を解決するための手段】
【０００５】
そこで上記課題を解決するため、本発明の実施形態では次のような手段を講じている。商品情報を入力して顧客が買い上げる商品の金額と個数とから合計金額を取得する商品取得手段と、前記商品取得手段により取得した金額に応じたポイントを算出するポイント算出手段と、電子マネー記憶媒体から少なくとも電子マネーの識別子を読取る読取り手段と、電子マネーの識別子と顧客が所持するポイントを関連付けて記憶する記憶部から、前記読取り手段により読取られた識別子に対応するポイントを取得するポイント取得手段と、  前記ポイント取得手段により取得したポイントに前記ポイント算出手段により算出したポイントを加算し、前記記憶部の更新を行う更新手段と、を有することを特徴とする商品データ処理装置である。
【図面の簡単な説明】
【０００６】
【図１】本発明の一実施形態のＰＯＳ端末のブロック図
【図２】本発明の一実施形態のポイントファイルの構成を示す説明図
【図３】本発明の一実施形態のポイント定義ファイルの構成を示す説明図
【図４】本発明の一実施形態の商品データ処理のフローチャート
【発明を実施するための形態】
【０００７】
以下に本発明の実施の形態の一例を図面を用いて説明する。なお、本実施の形態では商品データ処理装置の一例としてＰＯＳ端末を例に説明する。
【実施例１】
【０００８】
図１は本実施例で使用するＰＯＳ端末５０のブロック図である。このＰＯＳ端末５０には、演算装置・制御装置としてのＣＰＵ１を設ける。このＣＰＵ１には、アドレスバス、データバスなどのバスライン２を介して、ＲＯＭ３（Ｒｅａｄ  Ｏｎｌｙ  Ｍｅｍｏｒｙ）、ＲＡＭ４（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）コントローラー５、キーボードコントローラー７、客用表示コントローラー９、店用表示コントローラー１１、非接触端末Ｒ／Ｗ（ＲＥＡＤＥＲ／ＷＲＩＴＥＲ）コントローラー１３、、プリンタコントローラー１５、Ｉ／Ｏ（Ｉｎｐｕｔ／Ｏｕｔｐｕｔ）ポート１７を接続する。前述した、これらの各コントローラーには、ＨＤＤ６、キーボード８、客用表示器１０、店用表示器１２、非接触端末Ｒ／Ｗ１４、プリンタ１６を接続する。また、前記Ｉ／Ｏポート１７には、図示しないモードスイッチとドロワを接続する。
【０００９】
前記ＲＯＭ３には、前記ＣＰＵ１によって読み出されて当該ＣＰＵ１を様々な機能として働かせるプログラムや当該プログラムによるデータ処理の対象となる固定的なデータを格納する。前記ＲＡＭ４には、プログラムによるデータ処理の作業領域となるワークエリアなどの様々なメモリエリアが動的に形成する。
【００１０】
前記ＨＤＤコントローラー５は、前記ＣＰＵ１などからの指令に応じて前記ＨＤＤ６の所定領域に記憶されているデータやプログラムなどを読出し、この読出したデータやプログラムなどを前記バスライン２に送出したり、前記バスライン２から受取ったデータやプログラムなどを前記ＨＤＤ６の所定領域に記憶したり、前記ＨＤＤ６に対するデータなどの読み書きの制御を行う。
【００１１】
前記キーボードコントローラー７は、前記キーボード８からの入力信号を処理し、操作されたキーに対応するキーコードなどを前記バスライン２に送出するものである。このキーボードコントローラー７に接続されているキーボード８は、テンキー、ＰＬＵキー、小計キー、預／現計キー、などを設ける。
【００１２】
前記客用表示コントローラー９は、顧客に対して取引結果などを表示する客用表示器１０を制御し、前記ＣＰＵ１などからの指令に応じて前記バスライン２から受取ったデータなどに基づく情報を客用表示器１０の画面に表示する。同様に、前記店用表示コントローラー１１は、キャッシャに対して取引結果などを表示する店用表示器１２の画面表示を制御する。
【００１３】
前記非接触端末Ｒ／Ｗコントローラー１３は、前記ＣＰＵ１などからの命令に応じて前記非接触端末Ｒ／Ｗ１４は図示しない非接触電子マネー端末から受信したデータを前記バスライン２に送出し、前記バスライン２から受取ったデータを前記非接触端末Ｒ／Ｗ１４を介して図示しない非接触電子マネー端末への送信の制御を行う。また、前記非接触端末Ｒ／Ｗコントローラー１３と前記非接触端末Ｒ／Ｗ２２とが読取り部に相当する。なお、非接触電子マネー端末は、非接触ＩＣカードや、非接触ＩＣカードの機能を搭載した携帯電話などが考えられる。
【００１４】
前記プリンタコントローラー１５は、用紙に所定の情報を印字する印字部や所定情報が印字された用紙を切断するカッターなどを備えたプリンタ１６を制御する。このプリンタコントローラー１５によって制御されるプリンタ１６は、ロール状に巻かれた状態で納められている長尺紙の端を印字の際に順次引き出して印字用紙として使用し、その引き出された長尺紙の端から順に印字部で印字を行うものである。この印字部で印字される情報は、前記ＣＰＵ１などからの指令に応じて前記バスライン２から受取ったデータなどに基づくものである。
【００１５】
前記Ｉ／Ｏポート１７は、接続されているモードスイッチから入力された信号に基づいて所定のデータを前記バスラインに出力したり、前記ＣＰＵ１からの指令などに応じて接続されているドロワに起動信号を出力する。また、前記モードスイッチは、「登録」、「点検」、「精算」、などの電子キャッシュレジスタにおける各種業務モードの何れかのモードへと切り替えるための切替えスイッチで、鍵を用いて切替え操作をする。
【００１６】
また、前記ＨＤＤ６にはポイントファイル２０とＰＬＵファイルと、ポイント定義ファイル２１とを記憶する。
【００１７】
前記ポイントファイル２０には図２に示すように、各電子マネーの識別子に対応するポイントを記憶する。具体的には、ＩＤｍなどの電子マネー記憶媒体に割振られる固有のＩＤ番号を記憶するエリアであるＩＤｍエリア２００１とこれに対応し、ポイントを記憶するポイントエリア２００２とからなる。
【００１８】
ＰＬＵファイルは図示しないが、ＰＬＵコードに対応して、商品名、単価などを記憶する。
【００１９】
前記ポイント定義ファイル２１は図３に示すように、顧客に付与するポイント付与の定義を記憶する。本発明の実施例では、買い上げ金額の合計に対応したポイントを付与する。
【００２０】
しかして、以上のようなハードウェア構成、ファイル構成からなる前記ＰＯＳ端末５０において、前記ＣＰＵ１は、その動作モードとして「登録」業務が選択されているとき、予め設定されているプログラムに基づいて、図４示すデータ処理を実行する。
【００２１】
まず、Ｓ（ステップ）１として、前記非接触電子マネー端末に記憶するＩＤｍが、前記非接触Ｒ／Ｗ１４を通して入力される。
【００２２】
前記ＩＤｍが入力されると、前記ポイントファイル２０のＩＤｍエリア２００１を検索し、対応するポイントエリア２００２のポイントを取得する（Ｓ２）。
【００２３】
そして、前記ＰＬＵキーが押下されることにより、対応するＰＬＵコードが入力される。そして、前記ＰＬＵファイルからＰＬＵコードを検索する。該当するＰＬＵコードを発見すると、対応する商品名、単価とを取得し、前記ＲＡＭ４の所定のエリアに記憶する（Ｓ３）。
【００２４】
続いて前記テンキーにより買い上げ個数を入力し、前記Ｓ３にて入力した商品の買い上げ個数として、前記ＲＡＭ４の所定のエリアに記憶する（Ｓ４）。
【００２５】
そして前記小計キーが押下されたか否かを判定する（Ｓ５）。前記小計キーが押下されないと判定するなら（Ｓ５のＮｏ）、再度前記Ｓ３に戻り、前記ＰＬＵコードが入力される。一方、前記小計キーが押下されたと判定するなら（Ｓ５のＹｅｓ）、前記ＲＡＭ４の所定のエリアに記憶する前記Ｓ３から前記Ｓ４で入力された商品の買い上げ情報から、顧客が購入する商品の買い上げ金額の合計を算出する。そして、この合計金額を前記客用表示器１０と前記店用表示器１２に表示する（Ｓ６）。
【００２６】
続いて、前記非接触電子マネー端末に記憶する金額情報を、前記非接触Ｒ／Ｗ１４を通して読み取り精算処理を行う（Ｓ７）
【００２７】
そして、前記ポイント定義ファイル２１より、買い上げ金額の合計に応じたポイントを求める。そして、前記Ｓ１にて入力されたＩＤｍに対応する前記ポイントファイル２０のポイントエリア２００２に加算し、記憶する（Ｓ８）。
【００２８】
続いて、前記プリンタ１６から買い上げ商品の明細を印字し（Ｓ９）、処理を終了する。
【００２９】
以上により、本実施例ではＩＤｍを会員番号として使用しているので、顧客は店ごとにポイントカードを作る必要はない。
【００３０】
また、本実施例ではポイントファイルはＰＯＳ端末が記憶したが、ポイントファイルを外部のサーバに記憶し、必要に応じてアクセスを行なってもよい。
【００３１】
また、本実施例ではポイントは買い上げ金額の一割だが、これは店舗の運用形態で自由に変更が可能である。
【００３２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３３】
２０  ポイントファイル
２１  ポイント定義ファイル
５０  ＰＯＳ端末
【図１】
2012048276.tif 000003
【図２】
2012048276.tif 000004
【図３】
2012048276.tif 000005
【図４】
2012048276.tif 000006